(57)【要約】【課題】枠体の成形誤差や変形の影響を受けることなく面材に張力を加えた状態に維持すること。【解決手段】可撓性を有した防虫網３０と、枠１１，１２，１３を四周枠組みすることによって構成し、防虫網３０を支持する開口枠１０とを備えた建具において、枠１１，１２，１３には開口枠１０の見付け方向に沿って内周側に突出する板状の支持部１１Ｄ，１２Ｄ，１３Ｄを形成し、防虫網３０の縁部には互いの間に支持部１１Ｄ，１２Ｄ，１３Ｄを挟持可能な一対の挟持片部５１Ａ，５１Ｂを有する挟持部材５０を配設し、一対の挟持片部５１Ａ，５１Ｂの間に枠１１，１２，１３の支持部１１Ｄ，１２Ｄ，１３Ｄを挿入することによって防虫網３０の縁部を枠１１，１２，１３に支持させた。【選択図】図１
2017014868.tif 000002
【特許請求の範囲】
【請求項１】
可撓性を有した面材と、前記面材を支持する枠体とを備えた建具において、
前記枠体には見付け方向に沿って内周側に突出する支持部を形成し、
前記面材の縁部には前記支持部を挟持可能な一対の挟持片部を有する挟持部材を配設し、
前記一対の挟持片部の間に前記支持部を挿入することによって前記面材を前記枠体に支持させたことを特徴とする建具。
【請求項２】
前記挟持部材は、前記一対の挟持片部を有した挟持部本体と、前記挟持片部から突出した押圧ヒレ部とを有し、前記一対の挟持片部の間に挿入された前記支持部に前記押圧ヒレ部を接触させることによって挟持するものであり、前記挟持部本体を樹脂によって成形するとともに、前記押圧ヒレ部を前記挟持部本体よりも軟質の樹脂によって成形したことを特徴とする請求項１に記載の建具。
【請求項３】
前記押圧ヒレ部は、前記一対の挟持片部の間に構成される挟持溝の底面に向けて延在することを特徴とする請求項２に記載の建具。
【請求項４】
前記枠体の互いに対向する部位にそれぞれ前記支持部を設け、かつ前記面材において前記支持部に対応する縁部にそれぞれ前記挟持部材を配設したことを特徴とする請求項１に記載の建具。
【請求項５】
前記面材において前記挟持部材に隣接する縁部と前記枠体との間には、前記面材を前記枠体に定着させる定着手段を設けたことを特徴とする請求項１に記載の建具。
【請求項６】
前記定着手段は、前記枠体と前記面材の縁部との間に設けた面ファスナーを備えることを特徴とする請求項５に記載の建具。
【請求項７】
前記定着手段は、前記面材の縁部に接触するように前記枠体に配設した起毛部材を備えることを特徴とする請求項５に記載の建具。
【発明の詳細な説明】
【技術分野】
【０００１】
本発明は、防虫網や遮光スクリーン等の可撓性を有した面材を枠体に支持させることによって構成した建具に関するものである。
【背景技術】
【０００２】
網戸のように可撓性を有した防虫網によって枠体の開口を覆うようにした建具では、防虫網に張力を加えた状態で枠体に支持させるのが一般的である。例えば特許文献１では、枠体に支持溝が形成されるとともに、防虫網の縁部にアタッチメントが取り付けられている。アタッチメントには、防虫網の縁部を挿入する係止溝が設けられており、防虫網の縁部に設けられた突条部を係止溝に係止させることによって防虫網が支持されている。
【０００３】
この建具では、防虫網に張力を加えた状態でアタッチメントを支持溝に装着することにより、弛みなく防虫網が枠体に支持されることになる。また、特許文献１では、アタッチメントに互いに深さの異なる複数の係止溝を形成し、防虫網の縁部を挿入する係止溝を変更することにより、経年変化で弛んだ防虫網に再び張力を加えることができるように構成したものも記載されている。
【先行技術文献】
【特許文献】
【０００４】
【特許文献１】特開２００７−１７７５６６号公報
【発明の概要】
【発明が解決しようとする課題】
【０００５】
ところで、防虫網に張力を加えた状態に維持するには、枠体の支持溝に対してアタッチメントを緩みなく装着する必要がある。しかしながら、枠体に成形誤差が生じた場合には、支持溝とアタッチメントとの間に隙間が生じ、防虫網に張力を加えた状態に維持することが困難になるおそれがある。また、枠体が精度良く成形された場合であっても、躯体にネジ止めする際の操作力によっては枠体に変形を来し、この変形の影響によって支持溝とアタッチメントの間に隙間が生じるおそれがある。尚、上述の問題は、防虫網のみならず、遮光のためのスクリーン等々、可撓性を有した面材を適用する建具に同様に起こり得るものである。
【０００６】
本発明は、上記実情に鑑みて、枠体の成形誤差や変形の影響を受けることなく面材に張力を加えた状態に維持することのできる建具を提供することを目的とする。
【課題を解決するための手段】
【０００７】
上記目的を達成するため、本発明に係る建具は、可撓性を有した面材と、前記面材を支持する枠体とを備えた建具において、前記枠体には見付け方向に沿って内周側に突出する支持部を形成し、前記面材の縁部には前記支持部を挟持可能な一対の挟持片部を有する挟持部材を配設し、前記一対の挟持片部の間に前記支持部を挿入することによって前記面材を前記枠体に支持させたことを特徴とする。
【０００８】
この発明によれば、一対の挟持片部を有した挟持部材によって枠体の支持部を挟持するようにしているため、枠体に成形誤差や変形が生じた場合にも支持部に対する挟持部材の挟持状態に影響を及ぼすおそれがない。しかも、支持部が枠体の見付け方向に沿って内周側に突出したものであるため、一対の挟持片部に対する支持部の挟持深さを変更することで面材の張力を調整することが可能である。
【０００９】
また本発明は、上述した建具において、前記挟持部材は、前記一対の挟持片部を有した挟持部本体と、前記挟持片部から突出した押圧ヒレ部とを有し、前記一対の挟持片部の間に挿入された前記支持部に前記押圧ヒレ部を接触させることによって挟持するものであり、前記挟持部本体を樹脂によって成形するとともに、前記押圧ヒレ部を前記挟持部本体よりも軟質の樹脂によって成形したことを特徴とする。
【００１０】
この発明によれば、挟持部本体よりも軟質の樹脂によって成形した押圧ヒレ部が支持部に密着されるため、支持部を挟持する力を大きく設定することができるとともに、挟持部材を確実に面材の縁部に支持させることができる。
【００１１】
また本発明は、上述した建具において、前記押圧ヒレ部は、前記一対の挟持片部の間に構成される挟持溝の底面に向けて延在することを特徴とする。
【００１２】
この発明によれば、押圧ヒレ部が挟持溝の底面に向けて延在しているため、挟持溝に対して支持部を底面に向けて移動させる操作を容易に行うことができる反面、挟持溝から支持部を抜く方向に移動させる操作が困難となり、支持部から挟持部材が不用意に脱落する事態を防止できる。
【００１３】
また本発明は、上述した建具において、前記枠体の互いに対向する部位にそれぞれ前記支持部を設け、かつ前記面材において前記支持部に対応する縁部にそれぞれ前記挟持部材を配設したことを特徴とする。
【００１４】
この発明によれば、枠体の互いに対向する部位に設けた支持部にそれぞれ面材の縁部に設けた挟持部材を挟持させることで、面材を枠体に対して容易に支持させることができる。
【００１５】
また本発明は、上述した建具において、前記面材において前記挟持部材に隣接する縁部と前記枠体との間には、前記面材を前記枠体に定着させる定着手段を設けたことを特徴とする。
【００１６】
この発明によれば、定着手段によって面材の縁部が枠体に定着されるため、枠体と面材との間に隙間が生じるおそれがなく、虫が室内に侵入する事態を確実に防止できる。
【００１７】
また本発明は、上述した建具において、前記定着手段は、前記枠体と前記面材の縁部との間に設けた面ファスナーを備えることを特徴とする。
【００１８】
この発明によれば、面材の縁部を面ファスナーによって枠体に定着させるようにしているため、枠体に面材を支持させる作業が容易となる。
【００１９】
また本発明は、上述した建具において、前記定着手段は、前記面材の縁部に接触するように前記枠体に配設した起毛部材を備えることを特徴とする。
【００２０】
この発明によれば、枠体に配設した起毛部材が面材に接触することによって面材の縁部が枠体に定着されることになるため、枠体に面材を支持させる作業がより容易となる。
【発明の効果】
【００２１】
本発明によれば、一対の挟持片部を有した挟持部材によって枠体の支持部を挟持するようにしているため、枠体に成形誤差や変形が生じた場合にも支持部に対する挟持部材の挟持状態に影響を及ぼすおそれがない。しかも、支持部が枠体の見付け方向に沿って内周側に突出したものであるため、一対の挟持片部に対する支持部の挟持深さを変更することで面材の張力を調整することが可能である。これらの結果、枠体の成形誤差や変形の影響を受けることなく面材に張力を加えた状態に維持することが可能となる。
【図面の簡単な説明】
【００２２】
【図１】図１は、本発明の実施の形態１である建具の縦断面図である。
【図２】図２は、図１に示した建具の横断面図である。
【図３】図３は、図１に示した建具の要部を示す拡大図である。
【図４】図４は、図１に示した建具の枠体と面材とを示したもので、（ａ）は枠体に取り付ける以前の面材を示す概念図、（ｂ）は面材を取り付ける以前の枠体を室内側からみた概念図、（ｃ）は枠体に面材を取り付けた状態を室内側から見た概念図である。
【図５】図５は、図１に示した建具に適用する面材及び挟持部材を示す要部分解斜視図である。
【図６】図６は、図１に示した建具の枠体を室外側から見たもので、挟持部材の一部を破断して示す斜視図である。
【図７】図７は、図１に示した建具の枠体に設けた支持部と面材に設けた挟持部材とを示したもので、（ａ）は挟持部材の挟持片部に支持部を挿入した状態の要部拡大図、（ｂ）は（ａ）に示した状態から挟持部材を支持部に近接する方向に移動させた状態の要部拡大図、（ｃ）は挟持部材の操作片部に操作力を加えて挟持片部を開いた状態の要部拡大図、（ｄ）は挟持片部を開いた状態で挟持部材を支持部から取り外した状態の要部拡大図である。
【図８】図８は、本発明の実施の形態２である建具の縦断面図である。
【図９】図９は、図８に示した建具の横断面図である。
【図１０】図１０は、定着手段の第１変形例を示したもので、（ａ）は定着手段の側面図、（ｂ）は枠体に取り付けた定着手段によって面材の縁部を定着させた建具の要部拡大図である。
【図１１】図１１は、定着手段の第２変形例を示した建具の要部拡大図である。
【発明を実施するための形態】
【００２３】
以下、添付図面を参照しながら本発明に係る建具の好適な実施の形態について詳細に説明する。
【００２４】
（実施の形態１）
図１及び図２は、本発明の実施の形態１である建具を示したものである。ここで例示する建具は、開口枠（枠体）１０と左右２枚の障子２０とを備え、開口枠１０に対して２枚の障子２０をそれぞれ左右方向にスライドさせて開閉するようにした引き違い窓と称されるものである。開口枠１０は、上枠１１、下枠１２及び左右の縦枠１３を四周枠組みすることによって構成したものである。本実施の形態１では、特に、上枠１１及び下枠１２として、室外側に配置される外方枠構成要素１１Ａ，１２Ａと、室内側に配置される内方枠構成要素１１Ｂ，１２Ｂとの間を断熱材１１Ｃ，１２Ｃによって連結したものを例示している。開口枠１０を構成するそれぞれの枠１３及び枠構成要素１１Ａ，１１Ｂ，１２Ａ，１２Ｂは、いずれもアルミニウム合金によって成形した押し出し形材である。障子２０は、それぞれ矩形状の外形に構成したガラス２１の四周に上框２２、下框２３及び左右の縦框２４を装着することによって構成したものである。本実施の形態１では、特に、室外側に配置される外方框構成要素２２Ａ，２３Ａ，２４Ａと、室内側に配置される内方框構成要素２２Ｂ，２３Ｂ，２４Ｂとを接合することによって構成した框２２，２３，２４を例示している。なお、障子２０の戸尻側となる縦框２４については、単一の部材から成るものを適用している。外方框構成要素２２Ａ，２３Ａ，２４Ａは、枠１３，１１Ａ，１１Ｂ，１２Ａ，１２Ｂと同様、アルミニウム合金によって成形した押し出し形材であり、内方框構成要素２２Ｂ，２３Ｂ，２４Ｂは、樹脂によって成形した押し出し形材である。
【００２５】
図からも明らかなように、この建具の開口枠１０には、室外側に配置される障子２０よりもさらに室外側となる部位の四周に支持部１１Ｄ，１２Ｄ，１３Ｄが設けてあり、これらの支持部１１Ｄ，１２Ｄ，１３Ｄに防虫網（面材）３０が配設してある。
【００２６】
支持部１１Ｄ，１２Ｄ，１３Ｄは、上枠１１、下枠１２及び左右の縦枠１３からそれぞれ開口枠１０の見付け方向に沿って内周側に突出する薄板状部材である。支持部１１Ｄ，１２Ｄ，１３Ｄを設ける見込み方向の位置は、上枠１１、下枠１２及び左右の縦枠１３でほぼ同一である。図２に示すように、縦枠１３に設けた支持部１３Ｄには、面ファスナー４０が接着してある。面ファスナー４０は、図３に示すように、基準テープ４１の一方の表面に多数の鉤状突起４２を設けたもので、縦枠１３の支持部１３Ｄにおいて室内に臨む見付け面のほぼ全長わたって配設してある。
【００２７】
防虫網３０は、可撓性を有した樹脂製の糸を編むことによって網目状に成形した通風性を有する面材であり、図４の（ａ）〜図４の（ｃ）に示すように、開口枠１０の開口全面とほぼ等しい大きさを有している。この防虫網３０には、上縁部及び下縁部にそれぞれファスナーテープ３１を介して挟持部材５０が取り付けてある。
【００２８】
ファスナーテープ３１は、防虫網３０の上縁部及び下縁部に対して、それぞれの全長とほぼ同じ長さ、もしくはわずかに短い長さを有した長尺部材であり、図５に示すように、一側縁部に複数のエレメント３１ａを備えている。エレメント３１ａは、ファスナーテープ３１の長手方向に沿って互いに等間隔となる位置に固定してある。このファスナーテープ３１は、エレメント３１ａを備えた縁部が防虫網３０から突出した状態で防虫網３０の上縁部及び下縁部にそれぞれ溶着してある。
【００２９】
挟持部材５０は、図４〜図６に示すように、防虫網３０の上面部及び下縁部に対して、それぞれの全長よりもわずかに短い長さを有した長尺部材であり、挟持部本体５１、カバー片部５２及び操作片部５３を有している。挟持部本体５１は、長手方向に沿って互いにほぼ平行に延在する一対の挟持片部５１Ａ，５１Ｂの間に挟持溝５４を有した略Ｕ字状を成すものである。挟持溝５４の幅は、上枠１１及び下枠１２のそれぞれに設けた支持部１１Ｄ，１２Ｄの板厚よりもわずかに大きな寸法を有するように構成してある。本実施の形態１では、室外側に配置される挟持片部（以下、区別する場合に「外方挟持片部５１Ａ」という）に対して室内側に配置される挟持片部（以下、区別する場合に「内方挟持片部５１Ｂ」という）がわずかに短い寸法を有するように挟持部本体５１が構成してある。カバー片部５２は、挟持部本体５１の略Ｕ字状に湾曲する基端部から外方挟持片部５１Ａとほぼ平行となるように突出した板状部分である。操作片部５３は、内方挟持片部５１Ｂの基端部からカバー片部５２に沿って延在した後、室内側に向けて突出するように屈曲したものである。
【００３０】
挟持部材５０のカバー片部５２及び操作片部５３には、互いに対向する部位に係止突条５２ａ，５３ａが設けてある。係止突条５２ａ，５３ａは、挟持部本体５１の基端部との間に上述したファスナーテープ３１のエレメント３１ａを収容する収容空間５５を構成するもので、互いの間にエレメント３１ａの幅よりも小さい隙間を確保するようにカバー片部５２及び操作片部５３のそれぞれに突設してある。
【００３１】
上述した挟持部材５０の挟持部本体５１、カバー片部５２、操作片部５３、係止突条５２ａ，５３ａは、それぞれポリ塩化ビニル等、硬質の樹脂によって一体に成形してある。挟持部本体５１において挟持溝５４を構成する一対の挟持片部５１Ａ，５１Ｂには、押圧ヒレ部５６及び係止突条部５７が設けてある。
【００３２】
押圧ヒレ部５６は、外方挟持片部５１Ａから挟持溝５４に向けて突出したヒレ状部材であり、外方挟持片部５１Ａの長手方向に沿った全長に設けてある。本実施の形態１では、挟持溝５４の開口から挟持溝５４の底面に向けて４枚の押圧ヒレ部５６を互いに等間隔に並設するようにしている。個々の押圧ヒレ部５６は、内方挟持片部５１Ｂに向けて突出した後、挟持溝５４の底面に向けて傾斜するように延在している。なお、押圧ヒレ部５６としては、挟持溝５４の底面に向けて湾曲するように延在するものでも良い。係止突条部５７は、内方挟持片部５１Ｂの先端部から挟持溝５４に向けて突出した薄肉の台状部分であり、内方挟持片部５１Ｂの長手方向に沿った全長に設けてある。係止突条部５７の表面には、挟持溝５４の開口から底面に向けて複数のスリット５７ａが等間隔に形成してある。スリット５７ａは、係止突条部５７の表面部分を複数の接触領域に分割するためのもので、係止突条部５７の表面から内部に向かうに従って漸次内方挟持片部５１Ｂの先端に近接するように傾斜している。
【００３３】
これら押圧ヒレ部５６及び係止突条部５７は、挟持部本体５１を成形した樹脂よりも軟質の樹脂、例えば軟質ポリ塩化ビニルによって挟持部本体５１、カバー片部５２、操作片部５３、係止突条５２ａ，５３ａと一体に成形してある。
【００３４】
上記のように構成した挟持部材５０は、それぞれの端面からファスナーテープ３１のエレメント３１ａを収容空間５５に順次挿入することにより、防虫網３０の上縁部及び下縁部にそれぞれ配設されることになる。収容空間５５にファスナーテープ３１のエレメント３１ａが挿入された挟持部材５０は、挟持部材５０のカバー片部５２及び操作片部５３に設けた係止突条５２ａ，５３ａがエレメント３１ａに当接した状態となる。従って、防虫網３０に面方向に沿った引張力を付与した場合にも、挟持部材５０の収容空間５５からファスナーテープ３１が容易に脱落するおそれはない。
【００３５】
上縁部及び下縁部にそれぞれ挟持部材５０を配設した防虫網３０を開口枠１０に支持させるには、挟持部材５０のそれぞれに設けた一対の挟持片部５１Ａ，５１Ｂの間に上枠１１及び下枠１２の支持部１１Ｄ，１２Ｄを挿入すれば良い。すなわち、図７の（ａ）及び図７の（ｂ）に示すように、挟持片部５１Ａ，５１Ｂの相互間に支持部１１Ｄ，１２Ｄを挿入する場合には、押圧ヒレ部５６及び係止突条部５７の接触領域が適宜挟持溝５４の底面に向けて撓むため、大きな操作力を要することなく容易に挿入可能である。これに対して挟持片部５１Ａ，５１Ｂの相互間から支持部１１Ｄ，１２Ｄを引き抜く場合には、押圧ヒレ部５６及び係止突条部５７の各接触領域が支持部１１Ｄ，１２Ｄに対してより圧接される方向に変形することになるため、きわめて大きな操作力が必要となる。従って、挟持部材５０を支持部１１Ｄ，１２Ｄに向けて移動させれば、防虫網３０に所望の張力が作用した状態に維持することが可能となる。
【００３６】
上述した防虫網３０の取り付け作業は、開口枠１０に対して室内側から容易に実施することが可能である。すなわち、防虫網３０を取り付ける場合には、まず、一方の障子２０を開けた状態で防虫網３０を一旦開口枠１０よりも室外側に配置し、挟持部材５０の両端部の端面をそれぞれ縦枠１３に当接させて位置決めを行い、挟持部材５０を上枠１１の支持部１１Ｄ及び下枠の支持部１２Ｄに装着する。
【００３７】
この状態から他方の障子２０を開放し、挟持部材５０の未装着部分を上枠１１の支持部１１Ｄ及び下枠１２の支持部１２Ｄに装着すれば、調整のための工具を用いなくても、防虫網３０を上枠１１と下枠１２との間に張力を付与した状態で支持することができる。
【００３８】
その後、防虫網３０の両側縁部をそれぞれ縦枠１３の支持部１３Ｄに対して室内側から押圧すれば、面ファスナー４０の鉤状突起４２が防虫網３０の網の目を貫通することになり、鉤状突起４２が防虫網３０に係合することで縦枠１３の支持部１３Ｄに定着される。従って、防虫網３０の両側縁部が不用意に縦枠１３の支持部１３Ｄから離隔して隙間が生じる事態を招来するおそれがない。
【００３９】
上記のようにして防虫網３０を取り付けた建具によれば、室内への虫の侵入を防止した状態で外気との間で換気を行うことができるようになる。この場合、開口枠１０の全面が防虫網３０によって覆われるため、２枚の障子２０を開口枠１０の中央部に配置した状態で換気することも可能である。防虫網３０に溶着したファスナーテープ３１は、挟持部材５０のカバー片部５２によって室外側が覆われた状態となる。従って、ファスナーテープ３１が紫外線の影響によって劣化する事態が招来されるおそれがない。
【００４０】
また、上述の建具によれば、従前の網戸の框に相当する構成が存在しないため、建具の意匠性を向上させることができるばかりでなく、室内側からの眺望性の点でも有利となる。さらに、上枠１１及び下枠１２から挟持部材５０を取り外せば、開口枠１０から防虫網３０を取り外すことができるため、防虫網３０の掃除を容易に行うことができる。
【００４１】
このとき、本実施の形態１の建具によれば、硬質の樹脂によって成形した挟持部材５０に操作片部５３を設けているため、図７の（ｃ）に示すように、操作片部５３に対してカバー片部５２に近づくように操作力を付与すると、外方挟持片部５１Ａに対して内方挟持片部５１Ｂが開くように変形することになる。従って、図７の（ｄ）に示すように、支持部１１Ｄ，１２Ｄから押圧ヒレ部５６及び係止突条部５７が離隔するため、支持部１１Ｄ，１２Ｄから挟持部材５０を容易に取り外すことが可能となる。また、外方挟持片部５１Ａ及び内方挟持片部５１Ｂを互いに開いた状態で支持部１１Ｄ，１２Ｄから取り外す場合には、押圧ヒレ部５６及び係止突条部５７の各接触領域に過大な力が加えられることがないため、押圧ヒレ部５６及び係止突条部５７に損傷等の大きなダメージが与えられるおそれもない。これにより、掃除が終了した後に再び防虫網３０を開口枠１０に取り付ければ、防虫網３０に所望の張力を付与した状態に維持することができる。
【００４２】
なお、上述した実施の形態１では、引き違い窓において開口枠１０の最も室外側となる位置に防虫網３０を設けているため、例えば既存の網戸レールを支持部として応用することが可能である。しかしながら、本発明は必ずしも開口枠の室外側となる位置に面材を設けたものに限らない。
【００４３】
（実施の形態２）
図８及び図９は、本発明の実施の形態２である建具を示したものである。ここで例示する建具は、オペレータハンドルＨの操作により、開口枠（枠体）１１０に対して障子１２０が室外側に向けて突出するように開閉する縦すべり出し窓と称されるものであり、開口枠１１０において障子１２０よりも室内側となる部位の四周に支持部１１１Ｄ，１１２Ｄ，１１３Ｄが設けてあり、これらの支持部１１１Ｄ，１１２Ｄ，１１３Ｄに防虫網（面材）１３０が配設してある。
【００４４】
支持部１１１Ｄ，１１２Ｄ，１１３Ｄは、上枠１１１、下枠１１２及び左右の縦枠１１３からそれぞれ開口枠１１０の見付け方向に沿って内周側に突出する薄板状部材である。支持部１１１Ｄ，１１２Ｄ，１１３Ｄを設ける見込み方向の位置は、上枠１１１、下枠１１２及び左右の縦枠１１３でほぼ同一である。上枠１１１の支持部１１１Ｄは上枠１１１と一体に成形してあり、下枠１１２の支持部１１２Ｄは下枠１１２と一体に成形してある。これに対して左右の縦枠１１３の支持部１１３Ｄは、縦枠１１３とは別体に成形した支持部材１１３Ａを縦枠１１３の見込み面に装着することによって構成してある。図８に示すように、上枠１１１及び下枠１１２に設けたそれぞれの支持部１１１Ｄ，１１２Ｄには、面ファスナー４０が接着してある。面ファスナー４０は、実施の形態１と同様の構成を有したもので、上枠１１１及び下枠１１２の支持部１１１Ｄ，１１２Ｄにおいて室内に臨む見付け面のほぼ全長わたって配設してある。
【００４５】
防虫網１３０は、実施の形態１と同様、可撓性を有した樹脂製の糸を編むことによって網目状に成形した通風性を有する面材であり、開口枠１１０の開口全面とほぼ等しい大きさを有している。この防虫網１３０には、左右の両側縁部にそれぞれファスナーテープ３１を介して挟持部材５０が取り付けてある。ファスナーテープ３１及び挟持部材５０の構成は、実施の形態１と同様であるため、実施の形態１と同一の符号を付してそれぞれの詳細説明を省略する。
【００４６】
この建具においても、開口枠１１０に対して室内側から防虫網１３０を容易に取り付けることが可能である。すなわち、防虫網１３０の両側縁部に配設した挟持部材５０をそれぞれ縦枠１１３の支持部１１３Ｄに装着すれば、調整のための工具を用いなくても、防虫網１３０を左右の縦枠１１３の間に張力を付与した状態で支持することができる。
【００４７】
その後、防虫網１３０の上下両縁部をそれぞれ上枠１１１及び下枠１１２の支持部１１１Ｄ，１１２Ｄに対して室内側から押圧すれば、面ファスナー４０の鉤状突起が防虫網１３０の網の目を貫通し、鉤状突起が防虫網１３０に係合することで上枠１１１及び下枠１１２の支持部１１１Ｄ，１１２Ｄに定着される。従って、防虫網１３０の上下両縁部が不用意に支持部１１１Ｄ，１１２Ｄから離隔して隙間が生じる事態を招来するおそれがない。
【００４８】
上記のようにして防虫網１３０を取り付けた建具によれば、オペレータハンドルＨの操作によって障子１２０を室外側に開けば、室内への虫の侵入を防止した状態で外気との間で換気を行うことができる。また、この建具によれば、従前の網戸の框に相当する構成が存在しないため、建具の意匠性を向上させることができるばかりでなく、室内側からの眺望性の点でも有利となる。さらに、縦枠１１３から挟持部材５０を取り外せば、開口枠１１０から防虫網１３０を取り外すことができるため、防虫網１３０の掃除を容易に行うことができる。挟持部材５０の操作片部５３を操作することによって支持部１１１Ｄ，１１２Ｄからの取り外し作業を容易に行うことができる点は実施の形態１と同様である。
【００４９】
なお、上述した実施の形態１及び実施の形態２では、いずれも面材として防虫網３０，１３０を例示しているが、可撓性を有した面材であれば遮光スクリーン等々、その他の面材を用いたものであっても同様に適用することが可能である。また、障子２０，１２０を支持する開口枠１０，１１０に面材を支持させるようにしているが、框に対して面材を支持させる場合にも同様に適用することが可能である。
【００５０】
さらに、上述した実施の形態１及び実施の形態２では、面材の両縁部に挟持部材５０を配設するようにしているが、挟持部材５０は面材の少なくとも一側縁部に設ければ十分である。すなわち、面材の３つの縁部を面ファスナーによって枠体に支持させた後、挟持部材を枠体の支持部に挟持させれば、張力を付与した状態で面材を枠体に支持させることが可能である。
【００５１】
また、上述した実施の形態１及び実施の形態２では、面材において挟持部材５０に隣接する縁部と枠体との間に面ファスナー４０から成る定着手段を設けるようにしているため、面材の縁部が枠体から不用意に離隔する事態を防止することができる。しかしながら、本発明では必ずしも定着手段を設ける必要はなく、例えば、面材の縁部を単に枠体の見付け面に当接させるように建具を構成しても良い。なお、定着手段を設ける場合に上述した実施の形態１及び実施の形態２では、基準テープ４１の一方表面に多数の鉤状突起４２を設けた面ファスナー４０を例示し、この面ファスナー４０に面材を押圧することで面材の縁部を枠体に定着させるようにしているが、本発明はこれに限定されない。
【００５２】
例えば、図１０の（ａ）の変形例１に示すように、端部が連結された二つの基準テープ１４１と、基準テープ１４１の互いに対向する表面に設けた多数の鉤状突起１４２とを備えた面ファスナー１４０を枠体２００の支持部２００Ｄに装着し、図１０の（ｂ）に示すように、２つの基準テープ１４１の間に面材２３０の縁部を挟持するようにしても良い。
【００５３】
また、図１１の変形例２に示すように、基準テープ２４１の一方の表面に獣毛等の毛２４２を多数起立させた状態で配設した、いわゆるモヘアと称される起毛部材２４０を定着手段として用いるようにしても良い。起毛部材２４０を定着手段として枠体３００の支持部３００Ｄに装着した場合には、個々の毛２４２が面材３３０に接触することによって互いの間に隙間が生じる事態を防止することが可能である。
【００５４】
さらに、可撓性を有したマグネットプレートを面材及び枠体に配設し、両マグネットプレートの吸着力によって面材を枠体に定着させるようにすることも可能である。
【００５５】
またさらに、上述した実施の形態１及び実施の形態２では、挟持部材５０にカバー片部５２及び操作片部５３を設けるようにしているが、挟持部材５０としては少なくとも一対の挟持片部５１Ａ，５１Ｂを有したものであれば、その他の形状のものを適用してももちろん良い。
【符号の説明】
【００５６】
１０，１１０  開口枠、１１，１１１  上枠、１２，１１２  下枠、１３，１１３  縦枠、１１Ｄ，１２Ｄ，１３Ｄ，１１１Ｄ，１１２Ｄ，１１３Ｄ，２００Ｄ，３００Ｄ  支持部、３０，１３０  防虫網、４０，１４０  面ファスナー、５０  挟持部材、５１Ａ，５１Ｂ  挟持片部、５４  挟持溝、５６  押圧ヒレ部、１１３Ａ  支持部材、２００，３００  枠体、２３０，３３０  面材、２４０  起毛部材
【図１】
2017014868.tif 000003
【図２】
2017014868.tif 000004
【図３】
2017014868.tif 000005
【図４】
2017014868.tif 000006
【図５】
2017014868.tif 000007
【図６】
2017014868.tif 000008
【図７】
2017014868.tif 000009
【図８】
2017014868.tif 000010
【図９】
2017014868.tif 000011
【図１０】
2017014868.tif 000012
【図１１】
2017014868.tif 000013